(57)【特許請求の範囲】
【請求項１】
コンソール本体の上部に取り付けられる上面パネルと、
この上面パネルの下方に並んで配置されるレンズと、
このレンズの上方に取り付けられる光源とを備え、
前記レンズは、前記光源からの光を受光してその受光方向とは異なる方向に出光する導光部と、この導光部の端部に連なる端部を有し、前記導光部に対して一体的に形成されている発光部と、前記導光部の前記端部と前記発光部の前記端部との間に設けられた溝とを備えて構成され、
前記上面パネルは、前記溝と対応する位置に、下方に張り出す形態で設けられ、前記溝に嵌合するリブを有し、このリブは、前記溝と嵌合すると、前記上面パネルと前記レンズとが互いに組み付けられ、前記上面パネルと前記レンズの前記発光部とにより、連続する一つの連続面が形成されるように前記上面パネルと前記レンズとの見切り部における位置決めを行い、かつ、前記発光部の端部に向かう光を遮ることを特徴とする車両用照明装置。
【請求項２】
前記発光部と対向して設けられ、前記導光部から出光された光を前記発光部側に反射させる反射部材を備えた請求項１に記載の車両用照明装置。
【発明の詳細な説明】
【技術分野】
【０００１】
本発明は、車両用照明装置に関する。
【背景技術】
【０００２】
従来、車両用照明装置として、例えば下記特許文献１および２に記載のものが知られている。特許文献１のものは、コンソールボックスの背面側に照明装置を設けたものである。この照明装置は、車両後方に開口する開口部を有する照明ケースを備え、この照明ケースの奥側（車両前方側）にＬＥＤが配置されている。また、照明ケースの開口部には、照明スリットを有するランプカバーが装着されており、ＬＥＤから照射された光が照明スリットを通って外部に発光されるようになっている。
【０００３】
このように、ＬＥＤをランプカバーの背面側（車両前方側）に対向状態で配置することが理想的であるものの、車両の形状などによってはＬＥＤの設置スペースを自由に確保できない場合がある。そこで、導光部と発光部を有するレンズを用いてＬＥＤから照射された光を所定の箇所に導く手法が採用されている。例えば特許文献２のものは、コンソールボックスの上面に板状のレンズを配置したものである。ＬＥＤからの光は、導光部で受光され、導光部の内部で所定の方向に案内された後、発光部から出光されるようになっている。
【先行技術文献】
【特許文献】
【０００４】
【特許文献１】特開２００２−１０４０６７号公報
【特許文献２】特開２００７−２０３９５９号公報
【発明の概要】
【発明が解決しようとする課題】
【０００５】
ところで、発光部が導光部の端部から下方に連なる形態で設けられている場合、導光部の端部に光が集まりやすくなり、この導光部の端部に連なる発光部の端部が局部的に明るくなってしまう。この対策として、レンズの上方に配置される上面パネルから下方に延びるリブを形成し、このリブによって発光部の端部を覆い隠すことにより、光を遮る方法も考えられる。しかしながら、この方法によると、上面パネルとレンズとの見切り線の位置がずれてしまい、デザイン上の問題から採用し得ない。
【０００６】
また、導光部の端部に溝を設けて光の経路を断ち切る方法も考えられる。この方法であれば、上面パネルとレンズとの見切り線の位置がずれないため、デザイン上の問題は発生しない。しかしながら、溝を設けたとしても、光の集まりやすい位置が導光部の端部から溝に移動し、溝から出光された光が再びレンズに進入して発光部の端部が発光するに過ぎない。そればかりか、溝が変形するなどして上面パネルとレンズとの位置決め精度を低下させる可能性もあり得る。
【０００７】
本発明は上記のような事情に基づいて完成されたものであって、発光部の端部が局部的に明るくなることを回避しつつ、上面パネルとレンズとの見切り部における位置決め精度を向上させることを目的とする。
【課題を解決するための手段】
【０００８】
本発明の車両用照明装置は、コンソール本体の上部に取り付けられる上面パネルと、この上面パネルの下方に並んで配置されるレンズと、このレンズの上方に取り付けられる光源とを備え、レンズは、光源からの光を受光してその受光方向とは異なる方向に出光する導光部と、この導光部の端部に連なる端部を有し、前記導光部に対して一体的に形成されている発光部と、導光部の前記端部と前記発光部の前記端部との間に設けられた溝とを備えて構成され、上面パネルは、前記溝と対応する位置に、下方に張り出す形態で設けられ、溝に嵌合するリブを有し、このリブは、前記溝と嵌合すると、前記上面パネルと前記レンズとが互いに組み付けられ、前記上面パネルと前記レンズの前記発光部とにより、連続する一つの連続面が形成されるように上面パネルとレンズとの見切り部における位置決めを行い、かつ、発光部の端部に向かう光を遮る構成としたところに特徴を有する。
【０００９】
このような構成によると、溝に嵌合したリブによって発光部の端部に向かう光を遮ることができる。ここで、発光部の端部に向かう光としては、光源から発光部の端部に向かう光の他、導光部の端部から発光部の端部に向かう光などが挙げられる。これにより、発光部の端部が局部的に明るくなることを回避できる。
【００１０】
また、上面パネル側のリブがレンズ側の溝に嵌合することにより、溝の変形を防ぐとともに、上面パネルとレンズが正確に位置決めされるため、位置決め精度を向上させることができる。
【００１１】
本発明の実施の態様として、以下の構成が好ましい。
また、発光部と対向して設けられ、導光部から出光された光を発光部側に反射させる反射部材を備えた構成としてもよい。
【００１２】
このような構成によると、導光部から出光された光が反射部材で反射し、発光部側に向かわせることができる。つまり、導光部と反射部材の２箇所で光を屈折させることになり、光源からの光を自在に誘導できるため、光源の設置スペースを自由に確保できない場合に有効である。
【発明の効果】
【００１３】
本発明によれば、発光部の端部が局部的に明るくなることを回避しつつ、上面パネルとレンズとの見切り部における位置決め精度を向上させることができる。
【図面の簡単な説明】
【００１４】
【図１】実施形態における照明装置の組み付け前における分解斜視図
【図２】反射部材をコンソール本体に取り付け、ＬＥＤをレンズに取り付けた状態を示した分解斜視図
【図３】照明装置の組み付け前における分解断面図
【図４】上面パネルをコンソール本体に取り付ける前の状態を示した分解断面図
【図５】上面パネルをコンソール本体に取り付けた後の状態を示した分解断面図
【図６】図５の一部拡大図
【発明を実施するための形態】
【００１５】
＜実施形態＞
本発明の実施形態を図１ないし図６の図面を参照しながら説明する。本実施形態における車両用照明装置は、図１に示すように、コンソール本体１０の上部に取り付けられる上面パネル２０と、反射部材３０と、レンズ４０と、光源５０とを備えて構成されている。このコンソール本体１０は車両前後方向に長い形態をなし、車両における左右のフロントシート間に配置されるものである。本実施形態の車両用照明装置は、コンソール本体１０の後面部に設けられた装着凹部１１に装着されている。なお、コンソール本体１０および上面パネル２０は、ポリプロピレンなどの合成樹脂で、かつ、光を透過しない非透過性の材質からなる。
【００１６】
装着凹部１１には、反射部材３０、レンズ４０が順次装着されるようになっている。図３に示すように、装着凹部１１を構成する立壁部１２、上面部１３、および下面部１６に沿って反射部材３０が装着されている。装着凹部１１の上面部１３には、突起１４が上方に立設されている。一方、反射部材３０において突起１４と対応する位置は、取付孔３１が貫通して形成されている。突起１４を取付孔３１に嵌合させると、反射部材３０が装着凹部１１に対して位置決め状態で取り付けられる。なお、反射部材３０は、ＰＥＴから構成されている。
【００１７】
光源５０はＬＥＤを内蔵した光源ユニットとされており、その後端部に円筒形をなす照射部５１が設けられている。照射部５１は、斜め下方に開口する形態をなし、照射部５１の奥壁にＬＥＤが内蔵されている。光源５０は、レンズ４０の上部に設けられた装着開口４１に斜め方向に取り付けられるようになっている。光源５０の左右両側面部には、一対の取付突部５２が設けられている。一方、装着開口４１における両取付突部５２と対応する位置には、取付凹部４２が設けられている。このため、図４に示すように、光源５０の前端部が下方を向く前傾姿勢で光源５０を装着開口４１に対して後方から装着すると、両取付突部５２が両取付凹部４２に嵌り込み、照射部５１から斜め下後方に光が照射される。
【００１８】
また、光源５０の前端部は、コンソール本体１０の上部に形成された開口１５に入り込んだ状態となる。一方、光源５０の後端部は、図５に示すように、上面パネル２０がコンソール本体１０の上部に取り付けられることで、上面パネル２０の内面に形成された受け部２２に当接した状態となる。これにより、光源５０は、装着開口４１と受け部２２とによって上下方向に挟まれた状態となり、安定して取り付け固定される。
【００１９】
レンズ４０は、図１に示すように、装着開口４１が形成された導光部４３と、導光部４３の後端縁から下方に延びる発光部４４とを一体に備えて構成されている。発光部４４は、レンズ４０が装着凹部１１に正規に装着されることにより、反射部材３０と対向状態で配置され、かつ、コンソール本体１０の後面部と面一で連続する形態で配置される。
【００２０】
また、レンズ４０は、上面パネル２０がコンソール本体１０の上部に正規に装着されることにより、上面パネル２０の下方に並んで配置される。このとき、発光部４４は、上面パネル２０の後面部と面一で連続する形態とされている。したがって、上面パネル２０とレンズ４０とコンソール本体１０とを互いに組み付けると、上下方向に連続する一つの連続面が形成されるようになっている。
【００２１】
また、導光部４３の前端部には、図２または図３に示すように、装着凹部１１の上面部１３に引っ掛かって導光部４３を支持する複数の引掛け部４６が形成されている。一方、発光部４４の下端部には、図２に示すように、装着凹部１１の下面部１６に固定される複数の固定爪４７が形成されている。複数の引掛け部４６および複数の固定爪４７が装着凹部１１の上面部１３および下面部１６に係止することにより、レンズ４０は、装着凹部１１に対して正規の取付位置に固定される。なお、レンズ４０は、ポリカーボネートやアクリルなどの透光性を有する硬質部材によって構成されている。
【００２２】
導光部４３は、図４に示すように、照射部５１から照射された光を受光する受光面４３Ａを有し、この受光面４３Ａから導光部４３の内部に進入した光は、出光面４３Ｂから導光部４３の外部に出光する。ここで、受光面４３Ａは、光源５０の前傾姿勢とほぼ平行をなす傾斜面とされている一方、出光面４３Ｂは、ほぼ水平面とされている。したがって、受光面４３Ａで受光された光は、導光部４３の内部で屈折し、出光面４３Ｂで受光方向とは異なる方向に出光する。
【００２３】
また、出光面４３Ｂは、エンボス状に形成されているため、出光面４３Ｂから出光された光は、複数の方向に向かうことになる。すなわち、出光面４３Ｂから出光された光は、図５に示すように、発光部４４側に向かう光Ｌ４、反射部材３０側に向かう光Ｌ３などを含んで構成されている。さらに、反射部材３０側に向かう光Ｌ３は、反射部材３０で反射し、発光部４４側に向かうことになる。これにより、発光部４４全体が均一に発光するように設定されている。
【００２４】
さて、導光部４３の後端部４３Ｃは、図２に示すように、発光部４４の上端部４４Ａの前面側に接続されており、導光部４３の後端部４３Ｃには、発光部４４の上端部４４Ａに沿ってスリット状の溝４５が形成されている。換言すると、溝４５は、発光部４４の上端部４４Ａの前方に配置されている。このため、溝４５は、発光部４４の後面に露出しない態様とされている。このようにすると、次述するリブ２１が発光部４４の後面（表面）を覆う形態とならず、上面パネル２０とレンズ４０の見切り線の位置がずれないため、デザイン上の支障とならない。
【００２５】
導光部４３の後端部４３Ｃは、詳細には、装着開口４１の後方に位置する一辺と装着開口４１の左右両側に位置する二辺とからなる三辺で構成されており、溝４５は、主として装着開口４１の後方に位置する一辺に形成されている。一方、上面パネル２０において溝４５と対応する位置には、リブ２１が下方に張り出す形態で設けられている。このため、上面パネル２０をコンソール本体１０の上部に対して正規の取付位置に取り付けると、図５に示すように、リブ２１が溝４５に嵌合し、溝４５の変形を防ぐとともに、上面パネル２０とレンズ４０が正確に位置決めされる。
【００２６】
さらに、図６に示すように、溝４５を設けると、溝４５の前側部分に光が集まりやすくなり、ここから出光された光Ｌ１がレンズ４０に再び進入して発光部４４の上端部４４Ａが局部的に明るくなることが考えられる。その点、光Ｌ１は、リブ２１によって遮られるため、発光部４４の上端部４４Ａに光Ｌ１が進入することはない。また、照射部５１から照射された光Ｌ２が導光部４３を経由することなく発光部４４の上端部４４Ａに直接向かう場合も考えられる。この場合も、光Ｌ２がリブ２１によって遮られるため、発光部４４の上端部４４Ａに光Ｌ２が進入することはない。よって、発光部４４の上端部４４Ａが局部的に明るくなることを回避できる。
【００２７】
本実施形態は以上のような構成であって、続いてその作用を説明する。まず、図１に示すように、装着凹部１１に対して反射部材３０を取り付ける。取り付けに際しては、取付孔３１を突起１４に差し込むことにより反射部材３０が装着凹部１１に対して正規の取付位置に取り付けられる。これと併行して、レンズ４０の装着開口４１に光源５０を前傾姿勢で差し込んで両取付突部５２を両取付凹部４２に係止させると、図２に示すように、光源５０がレンズ４０に対して正規の取付位置に取り付けられる。
【００２８】
次に、レンズ４０を装着凹部１１に取り付けるには、複数の引掛け部４６および複数の固定爪４７を装着凹部１１の上面部１３および下面部１６に係止させることによって行われる。これにより、レンズ４０が装着凹部１１に対して正規の取付位置に取り付け固定される。この後、上面パネル２０をコンソール本体１０の上部に取り付けると、図５に示すように、受け部２２が光源５０の後端部に当接し、リブ２１が溝４５に嵌り込む。これにより、上面パネル２０はレンズ４０に対して位置決め状態で取り付けられる。こうして、車両用照明装置が完成する。この状態では、発光部４４の上端部４４Ａに向かう光Ｌ１，Ｌ２がリブ２１で遮られるため、発光部４４の上端部４４Ａが局部的に明るくなることを回避できる。
【００２９】
以上のように本実施形態では、導光部４３の後端部４３Ｃに溝４５を設け、上面パネル２０にリブ２１を設けたから、上面パネル２０をコンソール本体１０の上部に取り付けることによりリブ２１が溝４５に嵌合し、上面パネル２０がレンズ４０に正確に位置決めされる。また、溝４５の前側部分に集まった光Ｌ１および照射部５１から発光部４４の上端部４４Ａに向かう光Ｌ２がリブ２１によって遮られるため、発光部４４の上端部４４Ａが局部的に明るくなることを回避できる。また、導光部４３から反射部材３０側に向かう光Ｌ３を、同反射部材３０で反射させて発光部４４側に誘導できるため、発光部４４全体を均一に発光させることができる。また、光源５０からの光を導光部４３で屈折させ、反射部材３０で屈折させることにより、光源５０の設置場所を自由に設定することができる。
【００３０】
＜他の実施形態＞
本発明は上記記述及び図面によって説明した実施形態に限定されるものではなく、例えば次のような実施形態も本発明の技術的範囲に含まれる。
（１）上記実施形態では、コンソール本体１０の後端側に車両用照明装置が設けられているものの、本発明によると、コンソール本体１０の前端側に車両用照明装置を設けてもよい。この場合、導光部４３の前端部に発光部４４の上端部４４Ａを接続すればよい。
【００３１】
（２）上記実施形態では、光源としてＬＥＤユニットを例示しているものの、本発明によると、光源としてハロゲンランプなどを用いてもよい。
（３）上記実施形態では、反射部材３０を備えた車両用照明装置としているものの、本発明によると、反射部材３０を備えていない車両用照明装置としてもよい。
【００３２】
（４）上記実施形態では、光源５０がレンズ４０の上部に設けられているものの、本発明によると、光源５０を上面パネル２０に設けてもよいし、光源５０をコンソール本体１０に設けてもよい。
（５）上記実施形態では、導光部４３の後端部４３Ｃに発光部４４の上端部４４Ａが接続されているものの、本発明によると、導光部４３の側端部に発光部４４の上端部４４Ａを接続してもよい。
【符号の説明】
【００３３】
１０…コンソール本体
２０…上面パネル
２１…リブ
３０…反射部材
４０…レンズ
４３…導光部
４３Ｃ…後端部（端部）
４４…発光部
４４Ａ…上端部（端部）
４５…溝
５０…光源
Ｌ１、Ｌ２、Ｌ３…光
【図１】
0005445091.tif 000002
【図２】
0005445091.tif 000003
【図３】
0005445091.tif 000004
【図４】
0005445091.tif 000005
【図５】
0005445091.tif 000006
【図６】
0005445091.tif 000007